(57)【要約】【課題】簡単な押し込み方式で取り付け、取り外し作業が可能で、取り付け異常状態の指示及び復帰調整機能のある蛍光灯のチューブホルダーの構造を提供する。【解決手段】基台１０、二本の導電ピン２０、二枚の電線固定導片３０、蓋４０、チューブピン嵌付装置を備える。基台の正面には両側壁面に彎曲部１２を有する容置溝１１が設けられ、その頂端には連通滑り溝１３が設けられる。導電ピン２０は彎曲部１２の底縁に差し込まれる。電線固定導片３０の一端は導電ピン２０の末端に接続され、他端には電線の芯線部が上から下への挿入固定に供されるばね３１が曲げられて基台１０の裏面に設けられる。蓋４０にはチューブピンの線形スライドに供される案内溝４１が設けられる。チューブピン嵌付装置は押し部材５０を備え、それの両側には容置溝両側の側壁に接してスライドできる導電片５１が設けられ、かつ中央には連動軸５２を備える。【選択図】　　図２
0003098437.tif 000002
【実用新案登録請求の範囲】
【請求項１】
基台、二本の導電ピン、二枚の電線固定導片、蓋、及びチューブピン嵌付装置を備え、
基台の正面には底端が空けられた容置溝が設けられ、容置溝の両側壁面には彎曲部を有しその頂端には連通滑り溝が設けられ、
二本の導電ピンの表面は局部が裸になって容置溝両側壁の彎曲部の底縁に差し込まれ、
二枚の電線固定導片の一端は導電ピンの末端に接続され、他端には電線の芯線部が上から下への挿入固定に供されるばねが曲げられて基台の裏面に設けられ、
蓋は基台の正面を被せ、それにはチューブピンの下から上への平行導入並びに線形スライドに供される案内溝が設けられ、
チューブピン嵌付装置には押し部材が含まれ、それの両側には容置溝両側の側壁に接してスライドできる導電片が設けられ、かつ中央には上、下に延伸する連動軸があり、それは押し上げ動作によって上、下に切り替えられ、高、低両定位置点で移動して容置溝内に設けられることを特徴とする蛍光灯のチューブホルダーの構造。
【請求項２】
速動軸には基台の外観と異なる色が着色されていることを特徴とする請求項１記載の蛍光灯のチューブホルダーの構造。
【請求項３】
連動軸の底縁は更に小径部が延伸され、かつ押し上げ部材が高定位置点に止められた場合、その小径部はちょうど基台の底面から露出することを特徴とする請求項１記載の蛍光灯のチューブホルダーの構造。
【考案の詳細な説明】
【０００１】
【考案の属する技術分野】
本考案は、蛍光灯のチューブホルダーの構造に関する。
【０００２】
【従来の技術】
これまで知られているチューブの使用に供される従来のチューブホルダーの構造形態は、一般にばね型及び回し込み型の二種類があり、その中、ばね型ホルダーの主要は基台に圧縮、復帰可能な弾性ソケットを結合し、その弾性ソケットにはチューブピンの合わせ差し込みに供される導電挿入孔が設けられ、これによってチューブの支えと回路の導通機能が達成される。
【０００３】
回し込み型ソケットの主要は、基台にチューブピンを下から上へ導入し、並びに回転させる回転台があり、チューブピンの回転半径に対応して導電片が設けられ、チューブピンは指でチューブを回す動作によって９０度回されて導電片位置へ嵌め込まれ、それによって支えと回路導通の機能が完了される。
【０００４】
【考案が解決しようとする課題】
しかしながら、ばね型ホルダーは、長期間の使用経験によると、それの取り付けまたは取り外し作業はすべて片手でチューブを支え、もう一方の手で弾性ソケットを押しこむ動作で合わせなければチューブのピンを挿入または引き離すことができず、このように両手で同時に作動しないとチューブの取り付けまたは取り外し手段を完成することができない。チューブピンの挿入が面倒で、合わすのが難しいと言う欠点があるだけでなく、かつ指でチューブホルダーの弾性ソケットに接近する動作は、一般使用者に対して間違って感電すると言う心理的圧力が発生する。
【０００５】
また回し込み型ソケットは伝統的ばね型ソケットより取付け、取り外しが便利な効果があるが、人間工学から言えば、このように指でチューブを？んで９０度回すと言う動作には明らかに操作の便利性を改善する余地がある。
【０００６】
したがって本考案の目的は、蛍光灯のチューブを簡単な押し込み方式をもって取り付けまたは取り外し作業が可能で、並びに取り付け異常状態の指示及び復帰調整機能のあるホルダーの構造を提供し、それによってより便利で失敗のないチューブ交換作業を達成することにある。
【０００７】
【課題を解決するための手段】
上述の目的を達成するために本考案の請求項１に記載の蛍光灯のチューブホルダーの構造は、基台、二本の導電ピン、二枚の電線固定導片、蓋、チューブピン嵌付装置を備える。
基台の正面には底端が空けられた容置溝が設けられ、容置溝の両側壁面には彎曲部を有しその頂端には連通滑り溝が設けられる。二本の導電ピンの表面は局部が裸になって容置溝両側壁の彎曲部の底縁に差し込まれる。二枚の電線固定導片の一端は導電ピンの末端に接続され、他端には電線の芯線部が上から下への挿入固定に供されるばねが曲げられて基台の裏面に設けられる。
【０００８】
蓋は基台の正面を被せ、それにはチューブピンの下から上への平行導入並びに線形スライドに供される案内溝が設けられる。チューブピン嵌付装置には押し部材が含まれ、それの両側には容置溝両側の側壁に接してスライドできる導電片が設けられ、かつ中央には上、下に延伸する連動軸があり、それは押し上げ動作によって上、下に切り替えられ、高、低両定位置点で移動して容置溝内に設けられる。
【０００９】
【考案の実施の形態】
以下、本考案の実施例を図面に基づいて説明する。
本考案の実施例による蛍光灯のチューブホルダーの構造は、図１から図４に示すように、次のものを含む。基台１０の正面には底端が空けられた容置溝１１が設けられ、容置溝の両側壁面には彎曲部１２を備える。その頂端には連通滑り溝１３が設けられている。二本の導電ピン２０の表面は局部が裸になって容置溝両側壁の彎曲部１２の底縁に差し込まれる。二枚の電線固定導片３０の一端は導電ピン２０の末端に接続され、他端には電線ｃの芯線部が上から下への挿入固定に供されるばね３１が曲げられて基台の裏面に設けられる。蓋４０は基台の正面を被せ、チューブピンの下から上への平行導入並びに線形スライドに供される案内溝３１が設けられている。チューブピン嵌付装置には押し部材５０が含まれ、その両側には容置溝両側の側壁に接してスライドできる導電片５１が設けられる。かつ中央には上、下に延伸する連動軸を有し、その連動軸５２の上延伸部は押し上げる力によって上、下に切り替える。スライド溝１３内の枢軸は高、低両定位置点で移動し、押し上げ部材５０と導電片５１によって容置溝１１内に設けられて上、下に移動可能である。またその連動軸５２の下延伸部の長さは押し上げ部材５０の高、低に伴って移動し、基台１０の底面から収納または突出する。
【００１０】
上記実施例のチューブホルダーの構造で、図４、図５に示すように、負荷のない状態に於いて、押し上げ部材５０は高定位置点に嵌め付けられ、かつ連帯して導電片５１の底縁は導電ピン２０より高くなり、チューブａのピンｂは蓋の案内溝４１内で底まで押し上げられることにより、連動軸５２は軸の底縁に引き上げられて基台底面の高さから露出しない。それによって導電片５１組は取付け可能な状態にあるという視覚指示を代表する。実施時、両ホルダーの蓋４０を対向にし、かつチューブの長さに合わしてランプの台に取り付け、それから正、負極電線ｃの芯線部を電線固定案内片のばね部３１に挿入すればランプの設置を完了する。
【００１１】
上記ランプ台の構造により、チューブａを取り付ける前は、図６に示すように、もし連動軸５２の底端が基台１０の底面から伸出した場合、導電片５１は低位置点の状態にあると判断可能で、この場合、連動軸５２の底端を直接押して押し上げ部材５０が高定位置点へ切り替え移動するようにし、導電片５１は引き上げられて調整復帰し、それによってチューブａの取り付け作業が正常であることが確実に保証される。
【００１２】
図５、図６に示すように、チューブのピンｂを蓋案内溝４１の底口に沿って平行に送り込み、更に奥まで押し込んで釈放すると押し上げ部材５０はチューブのピンｂに伴って同時に低定位置点へ移動し、導電片５１の底端は連動されて先に導電ピン２０を少し滑り出すように押してチューブピンｂの下側を阻止し、チューブピンｂは回路と導通状態になって押し上げ部材５０と導電片５１の間を支える。それでチューブの取り付け作業は完了する。ランプ台に支えられたチューブａを奥まで押し上げると、押し上げ部材５１はチューブピンｂの押し上げによって導電片５１と連動軸５２は連帯して低定位置点から再度高定位置点へ切り替え移動し、スムーズにチューブａを取り外すことが可能となり、それはすなわち本考案の実施例一である。
【００１３】
上記のようなランプ台の構造で、図７に示すように、その連動軸５２の底縁は更に小径部５２１が延伸され、かつ押し上げ部材５０が高定位置点に止められた場合、その小径部５２１はちょうど基台１０の底面から露出するようになってこれを押し上げ部材の高、低状態の判別指示とし、またその連動軸５２には基台１０の外観と違った色があり、それをもってはっきりした視覚の指示効果を提供する。
【図面の簡単な説明】
【図１】本考案の実施例による蛍光灯のチューブホルダーの構造の構成状態を示す外観立体図である。
【図２】本考案の実施例による蛍光灯のチューブホルダーの構造を示す分解図である。
【図３】本考案の実施例による蛍光灯のチューブホルダーの構造を示す分解図である。
【図４】本考案の実施例による蛍光灯のチューブホルダーの構造を示す電線の差し込み状態を示す断面図である。
【図５】本考案の実施例による蛍光灯のチューブホルダーのチューブを取り付ける前の構造間の関係を示す断面図である。
【図６】本考案の実施例による蛍光灯のチューブホルダーのチューブを取り付けた後の構造間の関係を示す断面図である。
【図７】本考案の実施例による蛍光灯のチューブホルダーの構造を示す連動軸の構造を示す断面図である。
【符号の説明】
１０　　基台
１１　　容置溝
１２　　彎曲部
１３　　連通滑り溝
２０　　導電ピン
３０　　電線固定導片
３１　　ばね
４０　　蓋
４１　　蓋案内溝
５０　　押し上げ部材
５１　　導電片
５２　　連動軸
【図１】
0003098437.tif 000003
【図２】
0003098437.tif 000004
【図３】
0003098437.tif 000005
【図４】
0003098437.tif 000006
【図５】
0003098437.tif 000007
【図６】
0003098437.tif 000008
【図７】
0003098437.tif 000009